(57)【特許請求の範囲】
【請求項１】
底部と、底部の相対する一方の辺部にヒンジ連結された相対する一方の側壁と、底部の相対するもう一方の辺部にヒンジ連結された相対するもう一方の側壁とからなり、箱型に組み立てられた状態から、相対する一方の側壁を、底部に重なるように倒し、次いで、相対するもう一方の側壁を、先に倒された相対する一方の側壁に重なるように倒すことにより、折り畳むことが可能な折り畳みコンテナーにおいて、持ち手用窓部が穿設された側壁の外面が平坦に形成されているとともに、前記持ち手用窓部が穿設された側壁の内面には、横リブ及び縦リブが形成されており、また、前記持ち手用窓部が穿設された側壁の内面には、該側壁の内面に垂直で、且つ、前記持ち手用窓部の周縁を囲むように、窓部周縁リブ部が形成されており、更に、前記持ち手用窓部と上部水平枠との間に位置する外面平坦部の中央領域と、該中央領域を、左右方向に所定幅延長することにより形成される帯状の側部領域と、前記中央領域と前記側部領域に連接されている前記上部水平枠の上部水平枠領域とにより、梨子地加工が施されたラベル貼付面が形成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，長方形の底部の相対する長辺部に、適当なヒンジ部により連結された長側壁と、同じく上記底部の相対する短辺部に、適当なヒンジ部により連結された短側壁とからなる折り畳みコンテナーが知られており、折り畳み状態においては、底部の上に短側壁が重なるように折り畳まれ、更にその上に、長側壁が折り畳まれており、そして、折り畳まれた状態の長側壁を、底部に対して垂直に立て、次いで、折り畳まれた状態の短側壁を、底部に対して垂直に立てることにより、箱型のコンテナーに組み立てるように構成されている。
【０００３】
【発明が解決しようとする課題】
上述した従来の折り畳みコンテナーにおいては、短側壁の上部に形成された持ち手用窓部の下方で、且つ、縦横に走るリブにより囲まれた狭い領域に、ラベル貼付面が形成されているために、ラベル貼付面に貼付されたラベルが見にくく、また、ラベルに記載された種々の情報の読み取りが困難であるという問題があった。
【０００４】
また、持ち手用窓部に手を挿入して、物品が収容された折り畳みコンテナーを持った場合に、手が痛くなるという問題があった。
【０００５】
本発明の目的は、上述した従来の折り畳みコンテナーが有する課題を解決するとともに、ラベル貼付面へのラベルの貼付作業の作業効率の向上した折り畳みコンテナーを提供することにある。
【０００６】
【課題を解決するための手段】
本発明は、上述した目的を達成するために、底部と、底部の相対する一方の辺部にヒンジ連結された相対する一方の側壁と、底部の相対するもう一方の辺部にヒンジ連結された相対するもう一方の側壁とからなり、箱型に組み立てられた状態から、相対する一方の側壁を、底部に重なるように倒し、次いで、相対するもう一方の側壁を、先に倒された相対する一方の側壁に重なるように倒すことにより、折り畳むことが可能な折り畳みコンテナーにおいて、持ち手用窓部が穿設された側壁の外面が平坦に形成されているとともに、前記持ち手用窓部が穿設された側壁の内面には、横リブ及び縦リブが形成されており、また、前記持ち手用窓部が穿設された側壁の内面には、該側壁の内面に垂直で、且つ、前記持ち手用窓部の周縁を囲むように、窓部周縁リブ部が形成されており、更に、前記持ち手用窓部と上部水平枠との間に位置する外面平坦部の中央領域と、該中央領域を、左右方向に所定幅延長することにより形成される帯状の側部領域と、前記中央領域と前記側部領域に連接されている前記上部水平枠の上部水平枠領域とにより、梨子地加工が施されたラベル貼付面を形成したものである。
【０００７】
【実施例】
以下に、本発明の実施例について説明するが、本発明の趣旨を越えない限り何ら、本実施例に限定されるものでない。
【０００８】
１は、平面形状が長方形状の底部であり、底部１の相対する長辺部１ａには、適当なヒンジ部を介して長側壁２が連結されており、また、底部１の相対する短辺部１ｂには、同じく適当なヒンジ部を介して短側壁３が連結されている。
【０００９】
図１に示されているように、箱型に組み立てられた状態の折り畳みコンテナーを折り畳むには、先ず最初に、短側壁３を折り畳みコンテナーの内側に倒して、図２に示されているように、底部１の上に重ねる。次いで、同じく、長側壁２を折り畳みコンテナーの内側に倒して、図３に示されているように、底部１及び短側壁３の上に重ねる。逆に、図３に示されている折り畳まれた状態から、図１に示されているように組み立てるには、底部１及び短側壁３の上に重ねられた状態の長側壁２を垂直に立て、次いで、短側壁３を垂直に立てて、折り畳みコンテナーを箱型に組み立てる。
【００１０】
なお、組み立てられた状態の折り畳みコンテナーの短側壁３が、内側に、簡単に、倒れないように、長側壁２と短側壁３の左右両端部を係合する係合部や、底部１と長側壁２及び底部１と短側壁３とをヒンジ結合させるためのヒンジ部の構成は、本願出願前、既に、周知（例えば、特開平６−１３４２号、特開平８−３１８９３９号等を参照のこと。）であるので、その詳細な説明は省略する。
【００１１】
短側壁３は、外面（折り畳みコンテナーが組み立てられた際に、折り畳みコンテナーの外側に位置する面を、外面と称する。）３ａが、平坦に形成されているとともに、内面（折り畳みコンテナーが組み立てられた際に、折り畳みコンテナーの内側に位置する面を、内面と称する。）３ｂには、内面３ｂに対して垂直な横リブ３ｃ及び縦リブ３ｄが形成された外面平坦部３ｅを有しており、また、外面平坦部３ｅの左右両端部には、外側が開口された、縦長凹溝３ｆが設けられており、この縦長凹溝３ｆに、長側壁２の係合部２ａと係合する係合部３ｇが形成されている。外面平坦部３ｅの上下両端部には、組み立てられた折り畳みコンテナーの内側方向に向かって延在する上部水平枠３ｈ及び下部水平枠３ｉが形成されている。そして、下部水平枠３ｉの下面には、一対の垂直片３ｊ’と、一対の垂直片３ｊ’間に配設された水平ピン３ｊ”とからなる、ヒンジ部の一方を構成するヒンジ雄部３ｊが、所定の間隔をおいて形成されている。このヒンジ雄部３ｊの水平ピン３ｊ”を、底部１の短辺部１ａに形成された、逆Ｊ字状のフックからなるヒンジ雌部に引っ掛けることにより、短側壁３が、底部１にヒンジ結合されるように構成されている。
【００１２】
外面平坦部３ｅの中央上部には、横長の持ち手用窓部４が穿設されており、内面３ｂには、横長の持ち手用窓部４の周縁を囲むように、内面３ｂに対して垂直な窓部周縁リブ部５が形成されている。この窓部周縁リブ部５は、上述した横リブ３ｃ及び縦リブ３ｄで兼用することもできる。本実施例においては、窓部周縁リブ部５は、上下方向に位置する上部水平リブ５ａと下部水平リブ５ｂ及び左右方向に位置する垂直リブ５ｃ、５ｄとで形成されており、このうち、下部水平リブ５ｂ以外は、上述した横リブ３ｃ及び縦リブ３ｄで兼用されている。
【００１３】
上述したように、横長の持ち手用窓部４の周縁を囲むように、内面３ｂに対して垂直な窓部周縁リブ部５が形成されており、物品が収容されている折り畳みコンテナーの持ち手用窓部４に手を挿入した際には、手には、窓部周縁リブ部５を形成する上部水平リブ５ａが接触することになるので、従って、手が痛くなるようなことがない。
【００１４】
持ち手用窓部４と上部水平枠３ｈとの間に位置する外面平坦部３ｅの中央領域６ａと、中央領域６ａを、左右方向に所定幅延長することにより形成される帯状の側部領域６ｂと、上記の中央領域６ａと側部領域６ｂに連接されている上部水平枠３ｈの上部水平枠領域６ｃには、ラベルの剥離が容易なように、梨子地加工（図１及び図４において、点が付されている。）が施されおり、この梨子地加工が施された領域６ａ、６ｂ、６ｃにより、ラベル貼付面６が形成されている。ラベル貼付面６の位置を、上記のような位置とすることにより、貼付されたラベルを容易に識別することができるとともに、ラベルに記載された種々の情報の読み取りが容易になる。また、側部領域６ｂ及び上部水平枠領域６ｃにも、梨子地加工が施されているので、通常、ラベルが貼付される中央領域６ａを外れて、ラベルが、側部領域６ｂ及び上部水平枠領域６ｃに懸かっても、ラベルの剥離が容易であり、従って、作業者が、中央領域６ａ内にラベルを貼付するように、十分な注意を払う必要がないので、ラベルの貼付作業の作業効率が向上することになる。
【００１５】
上述したラベル貼付面６に限定されることなく、外面平坦部３ｅのほぼ全面に、梨子地加工を施し、外面平坦部３ｅのほぼ全面をラベル貼付面に形成し、外面平坦部３ｅのどの部分にも、任意に、ラベルを貼付することができるように構成することもできる。
【００１６】
上述した実施例においては、短側壁３の外面を平坦に形成するとともに、持ち手用窓部４を形成した例が示されているが、長側壁２も、短側壁３と同様に、その外面を平坦に形成するとともに、持ち手用窓部を形成することもできる。そして、このように、外面が平坦に形成され、且つ、持ち手用窓部が形成された長側壁２に、上述したと同様に、梨子地加工が施されたラベル貼付面を形成するように構成することもできる。
【００１７】
【発明の効果】
本発明は、以上説明した構成を有しているので、以下に記載する効果を奏するものである。
【００１８】
持ち手用窓部の上方に位置する外面平坦部に梨子地加工を施して、ラベル貼付面を形成したので、貼付されたラベルが見やすくなるとともに、ラベルの貼付作業の作業効率が向上する。
【００１９】
持ち手用窓部の上方に位置する上部水平枠にも梨子地加工が施されているとともに、梨子地加工が施されたラベル貼付面が、持ち手用窓部の幅を超えて左右に延長されているので、通常、ラベルが貼付される中央領域を外れて、ラベルが、側部領域及び上部水平枠領域に懸かっても、ラベルの剥離が容易であり、従って、作業者が、中央領域内にラベルを貼付するように、十分な注意を払う必要がないので、ラベルの貼付作業の作業効率が向上する。
【００２０】
物品が収容されている折り畳みコンテナーの持ち手用窓部に手を挿入した際には、手には、窓部周縁リブ部を構成する上部水平リブが接触することになるので、従って、手が痛くなるようなことがない。
【図面の簡単な説明】
【図１】図１は本発明の折り畳みコンテナーの組み立てられた状態の斜視図である。
【図２】図２は本発明の折り畳みコンテナーの折り畳み途中の斜視図である。
【図３】図３は本発明の折り畳みコンテナーの折り畳まれた状態の斜視図である。
【図４】図４は本発明の折り畳みコンテナーの短側壁の斜視図である。
【図５】図５は本発明の折り畳みコンテナーの短側壁の中央部の垂直断面図である。
【符号の説明】
１・・・・・・・・底部
２・・・・・・・・長側壁
３・・・・・・・・短側壁
４・・・・・・・・持ち手用窓部
６・・・・・・・・ラベル貼付面
【図１】
0004308994.tif 000002
【図２】
0004308994.tif 000003
【図３】
0004308994.tif 000004
【図４】
0004308994.tif 000005
【図５】
0004308994.tif 000006